(57)【特許請求の範囲】
【請求項１】
第１または第２導電型の炭化珪素基板（２）の上に第１導電型の炭化珪素からなるドリフト層（３）を備え、主表面がオフ角を有するオフ基板にて構成された半導体基板（１）と、
前記半導体基板における前記ドリフト層の上に形成された炭化珪素からなる第２導電型のベース領域（４）と、
前記ベース領域の表面から該ベース領域を貫通して前記ドリフト層に達するように形成され、一方向を長手方向として複数本がストライプ状に配置されたトレンチ（７）と、
前記トレンチの両側面のうちの一方の側面にのみ接するように形成され、前記ドリフト層よりも高不純物濃度とされた第１導電型領域（５）と、
前記第１導電型領域を挟んで前記トレンチの反対側に形成され、前記ベース領域よりも高不純物濃度とされた第２導電型のコンタクト層（６）と、
前記トレンチ内に形成されたゲート絶縁膜（８）と、
前記トレンチ内に前記ゲート絶縁膜を介して形成されたゲート電極（９）と、
前記第１導電型領域および前記コンタクト層に電気的に接続された第１電極（１１）と、
前記炭化珪素基板に電気的に接続された第２電極（１２）とを有し、
前記トレンチの側面をチャネル形成面として、前記トレンチ内に前記ゲート絶縁膜を介して形成された前記ゲート電極に対するゲート電圧の印加に基づいて前記トレンチの側面を通じて電流を流すように構成されたトレンチゲート構造の縦型半導体素子を有する炭化珪素半導体装置であって、
前記半導体基板は主表面が（０００１）面もしくは（０００−１）面に対して前記オフ角を付けたオフ基板とされ、前記オフ方向が＜１１−２０＞方向で前記トレンチの長手方向が前記オフ方向に対する垂直方向となる＜１−１００＞方向とされているか、もしくは、前記オフ方向が＜１−１００＞方向で前記トレンチの長手方向が前記オフ方向に対する垂直方向となる＜１１−２０＞方向とされ、
前記トレンチの両側面のうちの一方の側面のみに接するように前記第１導電型領域が形成されることで該一方の側面のみが前記チャネル形成面とされ、前記トレンチの両側面のうち、（１１−２０）面もしくは（１−１００）面に対して成す鋭角の角度が小さい方の側面が前記チャネル形成面とされており、
前記コンタクト層は、前記トレンチのうち前記第１導電型領域と接する前記チャネル形成面となる側面とは反対側の側面に接するように配置されていることを特徴とする炭化珪素半導体装置。
【請求項２】
前記主表面に対して前記チャネル形成面となる前記トレンチの一方の側面が成す角度が８２〜９０°とされていることを特徴とする請求項１に記載の炭化珪素半導体装置。
【請求項３】
前記コンタクト層は、前記トレンチよりも深くまで形成されたボディ層であることを特徴とする請求項１または２に記載の炭化珪素半導体装置。
【発明の詳細な説明】
【技術分野】
【０００１】
本発明は、トレンチゲートを有する炭化珪素（以下、ＳｉＣという）半導体装置に関するものである。
【背景技術】
【０００２】
従来より、ＳｉＣ半導体装置において、より大電流を流せるように、チャネル密度を高くできるトレンチゲート構造のＭＯＳＦＥＴが採用されている。ＳｉＣにて構成されるＭＯＳＦＥＴでは、チャネルが形成される面の面方位によって電気特性が劇的に変化し、特に、エッチングによって形成するトレンチの角度によって面方位が変わり、電気特性が変化することから、トレンチゲート構造のＭＯＳＦＥＴでは、トレンチの角度が重要となる。具体的には、チャネルが形成されるトレンチ側面がチャネル移動度を高くできる（１１−２０）面や（１−１００）面にできるだけ近い角度となるように、すなわち（０００１）面あるいは（０００−１）面と直交する面となるようにするのが理想的である（例えば、特許文献１参照）。
【先行技術文献】
【特許文献】
【０００３】
【特許文献１】特開平９−１９９７２４号公報
【発明の概要】
【発明が解決しようとする課題】
【０００４】
上記したように、トレンチ側面がチャネル移動度を高くできる（１１−２０）面や（１−１００）面となるようにするには、垂直性が良く、高精度のエッチングが必要である。一般的に、ＳｉＣのエッチングとしては、ＲＩＥ（Reactive  Ion  Etching）やＩＣＰ（Inductively Coupled Plasma）により、ＳＦ6やＣｌ2、ＣＦ4などをエッチングガスとしてドライエッチングする方法が知られており、理想的にはウェハ表面から垂直にトレンチエッチングが行えるのが望ましい。
【０００５】
しかしながら、ＳｉＣは化学的に極めて安定な物質であるため、垂直性良く、高精度のエッチングを行うことが困難である。このため、図６に示す理想的なトレンチエッチングと実際のトレンチエッチングの様子を示した断面図のように、トレンチの側面の角度がウェハ表面である（０００１）面に対して垂直になるのが理想的であるが、実際にはトレンチの側面が傾斜した状態となる。
【０００６】
このため、トレンチの側面がチャネル移動度を高くできる（１１−２０）面や（１−１００）面に対して傾斜した状態となり、高いチャネル移動度が得られなくなる。（１１−２０）面や（１−１００）面に対するトレンチの側面の傾斜角度が小さければ、チャネル移動度の低下が小さいが、ある程度大きくなるとチャネル移動度の低下が大きくなり、所望のチャネル移動度が得られなくなる。
【０００７】
本発明は上記点に鑑みて、チャネルが形成されるトレンチの側面がチャネル移動度を高くできる（１１−２０）面や（１−１００）面に近づけられ、高チャネル移動度を得ることができるＳｉＣ半導体装置を提供することを目的とする。
【課題を解決するための手段】
【０００８】
上記目的を達成するため、請求項１に記載の発明では、半導体基板（１）は主表面が（０００１）面もしくは（０００−１）面に対してオフ角を付けたオフ基板とされ、オフ方向が＜１１−２０＞方向でトレンチ（７）の長手方向がオフ方向に対する垂直方向となる＜１−１００＞方向とされているか、もしくは、オフ方向が＜１−１００＞方向でトレンチ（７）の長手方向がオフ方向に対する垂直方向となる＜１１−２０＞方向とされ、トレンチ（７）の両側面のうちの一方の側面のみに接するように第１導電型領域（５）が形成されることで該一方の側面のみがチャネル形成面とされ、トレンチ（７）の両側面のうち、（１１−２０）面もしくは（１−１００）面に対して成す鋭角の角度が小さい方の側面がチャネル形成面とされていることを特徴としている。
【０００９】
このように、オフ基板にて構成される半導体基板（１）を用いて、トレンチ（７）の両側面のうちの一方の側面、つまり（０００１）面もしくは（０００−１）面に対して成す角度が９０°もしくはそれに近い角度になる方の側面に接するように第１導電型領域（５）を形成し、トレンチ（７）の両側面のうちの一方にのみチャネルが形成されるようにしている。このようにすることで、トレンチ（７）の両側面のうち、高いチャネル移動度が形成される方の側面にのみチャネルが形成されるようにすることができ、高いチャネル移動度を得ることが可能となる。
さらに、請求項１に記載の発明では、コンタクト層（６）は、トレンチ（７）のうち第１導電型領域（５）と接するチャネル形成面となる側面とは反対側の側面に接するように配置されていることを特徴としている。
このように、コンタクト層（６）をトレンチ（７）の側面に接するように配置すれば、隣り合う両トレンチ（７）の間の距離を短くすることが可能となり、トレンチ（７）の両側面のうちの一方のみをチャネル形成面とするようにしても、オン抵抗の増加を抑制することが可能となる。
【００１０】
例えば、請求項２に記載したように、主表面に対してチャネル形成面となるトレンチ（７）の一方の側面が成す角度が８２〜９０°とされていれば、高いチャネル移動度を得ることが可能となる。
【００１１】
なお、コンタクト層（６）を、トレンチ（７）のうち第１導電型領域（５）と接するチャネル形成面となる側面とは反対側の側面から離れて配置することができる。
【００１２】
このように、トレンチ（７）の側面から離してコンタクト層（６）を配置するようにすれば、アバランシェブレークダウン時にコンタクト層（６）を通じて電流が流れても、ゲート絶縁膜（８）が破損することを抑制でき、アバランシェ耐量を向上することが可能となる。
【００１５】
請求項３に記載の発明では、コンタクト層（６）は、トレンチ（７）よりも深くまで形成されたボディ層であることを特徴としている。
【００１６】
このように、コンタクト層（６）をトレンチ（７）よりも深くしたボディ層とすることができる。これにより、ボディ層からドリフト層（３）側に延びる空乏層により、高電界がゲート絶縁膜（８）側に入り込み難くなるようにできる。このため、ゲート絶縁膜（８）内での電界集中を緩和でき、ゲート絶縁膜（８）が破壊されることを抑制できるため、耐圧向上を図ることが可能となる。
【００１７】
なお、上記各手段の括弧内の符号は、後述する実施形態に記載の具体的手段との対応関係を示すものである。
【図面の簡単な説明】
【００１８】
【図１】本発明の第１実施形態にかかるトレンチゲート構造の縦型ＭＯＳＦＥＴを有するＳｉＣ半導体装置の断面図である。
【図２】図１に示すＳｉＣ半導体装置を製造したウェハの様子を示した図である。
【図３】ＳｉＣ半導体装置の断面に（０００１）面と平行な線を示した図である。
【図４】本発明の第２実施形態にかかるトレンチゲート構造の縦型ＭＯＳＦＥＴを有するＳｉＣ半導体装置の断面図である。
【図５】本発明の第３実施形態にかかるトレンチゲート構造の縦型ＭＯＳＦＥＴを有するＳｉＣ半導体装置の断面図である。
【図６】理想的なトレンチエッチングと実際のトレンチエッチングの様子を示した断面図である。
【発明を実施するための形態】
【００１９】
以下、本発明の実施形態について図に基づいて説明する。なお、以下の各実施形態相互において、互いに同一もしくは均等である部分には、図中、同一符号を付してある。
【００２０】
（第１実施形態）
本発明の第１実施形態について説明する。図１は、本実施形態にかかるトレンチゲート構造の縦型ＭＯＳＦＥＴを有するＳｉＣ半導体装置の断面図である。この図は、縦型ＭＯＳＦＥＴの２セル分を抽出したものに相当する。本図では縦型ＭＯＳＦＥＴの２セル分しか記載していないが、図１に示す縦型ＭＯＳＦＥＴと同様の構造が複数列隣り合うように配置されている。また、図２は、図１に示すＳｉＣ半導体装置のデバイス構造を形成したウェハ、つまりチップにダイシングカットする前の様子を示した図である。図１は、図２中のＡ−Ａ’断面図に相当している。
【００２１】
図１に示すＳｉＣ半導体装置は、（０００１）面に対して例えば４度のオフ角が設けられたオフ基板からなるＳｉＣ半導体基板１を用いて製造されている。図２に示すように、オフ基板のオフ方向は＜１１−２０＞方向と平行とされている。
【００２２】
図１に示すように、ＳｉＣ半導体基板１には、オフ基板にて構成されたｎ+型ＳｉＣ基板２の表面に、ｎ+型ＳｉＣ基板２よりもリン等のｎ型不純物濃度が低いｎ-型ドリフト層３をエピタキシャル成長させたエピ基板が用いられている。
【００２３】
ｎ+型ＳｉＣ基板２は、リン等のｎ型不純物濃度が例えば１．０×１０19／ｃｍ3、厚さ３００μｍ程度とされている。また、ｎ-型ドリフト層３は、例えば３．０〜７．０×１０15／ｃｍ3、厚さ１０〜１５μｍ程度で形成されている。ｎ-型ドリフト層３の不純物濃度は深さ方向において一定であっても良いが、濃度分布に傾斜を付け、ｎ-型ドリフト層３のうちｎ+型基板２側の方がｎ+型基板２から離れる側よりも高濃度となるようにすると好ましい。例えば、ｎ-型ドリフト層３のうちｎ+型基板２の表面から３〜５μｍ程度の部分の不純物濃度が２．０×１０15／ｃｍ3程度他の部分よりも高くなるようにすると良い。このようにすると、ｎ-型ドリフト層３の内部抵抗を低減できるため、オン抵抗を低減することが可能となる。
【００２４】
また、ｎ-型ドリフト層３の表層部にはｐ型ベース領域４が形成されていると共に、このｐ型ベース領域４の上層部分にｎ+型ソース領域（第１導電型領域）５およびｐ+型ボディ層（コンタクト層）６が形成されている。
【００２５】
ｐ型ベース領域４は、ボロンもしくはアルミニウム等のｐ型不純物濃度が例えば５．０×１０16〜２．０×１０19／ｃｍ3、厚さ２．０μｍ程度で構成されている。ｎ+型ソース領域５は、表層部におけるリン等のｎ型不純物濃度（表面濃度）が例えば１．０×１０21／ｃｍ3、厚さ０．３μｍ程度で構成されている。ｐ+型ボディ層６は、例えば表層部におけるボロンもしくはアルミニウム等のｐ型不純物濃度（表面濃度）が例えば１．０×１０21／ｃｍ3、厚さ０．３μｍ程度で構成されている。ｎ+型ソース領域５は、後述するトレンチゲート構造の片側のみに配置されており、ｐ+型ボディ層６は、ｎ+型ソース領域５を挟んでトレンチゲート構造と反対側に備えられ、本実施形態ではトレンチゲート構造の両側のうちｎ+型ソース領域５が配置される方と異なる方において、トレンチゲート構造から離間した位置に形成されている。
【００２６】
また、ｐ型ベース領域４およびｎ+型ソース領域５を貫通してｎ-型ドリフト層３に達するように、例えば幅が１．４〜２．０μｍ、深さが２．０μｍ以上（例えば２．５μｍ）のトレンチ７が形成されている。トレンチ７は、オフ方向と垂直方向となる＜１−１００＞方向、つまり図１の紙面垂直方向を長手方向として形成され、複数本が所定のピッチで等間隔に並べられることでストライプ状に配置されている。
【００２７】
さらに、トレンチ７の側面と接するように上述したｐ型ベース領域４およびｎ+型ソース領域５が配置されているが、ｎ+型ソース領域５についてはトレンチ７の両側面のうちの片側のみに接するように配置され、もう一方の側面にはｎ+型ソース領域５が配置されていない構成とされている。トレンチ７の側面は、ＳｉＣ半導体基板１の表面に対して垂直に形成されているのが理想的であるが、垂直にするのは難しく、上記したように実際にはトレンチ７の側面が傾斜した状態になりがちである。本実施形態の場合、このようなトレンチ７の側面の傾斜を許容しており、ＳｉＣ半導体基板１の表面と水平な面に対してトレンチ７の側面の成す角度θが８２〜９０°となれば良いようにしている。
【００２８】
さらに、トレンチ７の表面はゲート酸化膜８にて覆われており、ゲート酸化膜８の表面に形成されたドープトＰｏｌｙ−Ｓｉにて構成されたゲート電極９により、トレンチ７内が埋め尽くされている。ゲート酸化膜８は、ｎ型チャネル層７の表面を熱酸化することで形成されており、ゲート酸化膜８の厚みはトレンチ７の側面側と底部側共に１００ｎｍ程度となっている。このような構造により、トレンチゲート構造が構成されている。そして、上述したｎ+型ソース領域５およびｐ+型ボディ層６が複数本ストライプ状に並べられたトレンチゲート構造の長手方向に沿って延設されることで、トレンチ７の側面の片側、つまりｎ+型ソース領域５が接している側にチャネルが形成され、もう一方にはチャネルが形成されない構造とされている。
【００２９】
また、ｎ+型ソース領域５およびｐ+型ボディ層６の表面やゲート電極９の表面には、層間絶縁膜１０を介してソース電極（第１電極）１１やゲート配線（図示せず）が形成されている。ソース電極１１およびゲート配線は、複数の金属（例えばＮｉ／Ａｌ等）にて構成されており、少なくともｎ型ＳｉＣ（具体的にはｎ+型ソース領域５やｎドープの場合のゲート電極９）と接触する部分はｎ型ＳｉＣとオーミック接触可能な金属で構成され、少なくともｐ型ＳｉＣ（具体的にはｐ+型ボディ層６やｐドープの場合のゲート電極９）と接触する部分はｐ型ＳｉＣとオーミック接触可能な金属で構成されている。なお、これらソース電極１１およびゲート配線は、層間絶縁膜１０上において電気的に絶縁されており、層間絶縁膜１０に形成されたコンタクトホールを通じてソース電極１１はｎ+型ソース領域５およびｐ+型ボディ層６と電気的に接触させられ、ゲート配線はゲート電極９と電気的に接触させられている。
【００３０】
そして、ｎ+型基板１の裏面側にはｎ+型基板１と電気的に接続されたドレイン電極（第２電極）１２が形成されている。このような構造により、ｎチャネルタイプの反転型のトレンチゲート構造の縦型ＭＯＳＦＥＴを有するＳｉＣ半導体装置が構成されている。
【００３１】
以上のように構成されたＳｉＣ半導体装置では、ゲート電極９に対してゲート電圧を印加すると、トレンチ７の両側面のうちの一方にのみチャネルが形成されることで電流を流す。このように、トレンチ７の両側面のうちの一方にのみがチャネル形成面となるようにしている。これは、ＳｉＣ半導体基板１としてオフ基板を用いており、そのオフ角の影響によりトレンチ７の両側面の面方位が異なってくるためである。これについて、図３を参照して説明する。
【００３２】
図３は、ＳｉＣ半導体装置の断面に（０００１）面と平行な線を示した図である。この図に示されるように、ＳｉＣ半導体基板１はオフ角を有するオフ基板である。また、トレンチ７の両側面がＳｉＣ半導体基板１の表面に対して傾斜した状態となっていることから、トレンチ７の両側面それぞれが（０００１）面に対して成す角度は異なった角度となる。
【００３３】
具体的に、トレンチ７の両側面それぞれが（０００１）面に対して成す角度について検討すると、一方の側面（図中左側の側面）についてはオフ角の影響で９０°もしくはそれに近い角度となり、他方の側面（図中右側の側面）についてはオフ角の影響で９０°から離れた角度となる。そして、（０００１）面に対して垂直な面が、最もチャネル移動度が高くなる（１１−２０）面であり、この（１１−２０）面に近いほどチャネル移動度が高くできる。このため、トレンチ７の両側面のうちの一方の側面、つまり（０００１）面に対して成す角度が９０°もしくはそれに近い角度になる方の側面については、高いチャネル移動度を得ることが可能となる。反対に、トレンチ７の両側面のうちの他方の側面、つまり（０００１）面に対して成す角度が９０°から離れた角度になる方の側面については、高いチャネル移動度を得られなくなる可能性がある。
【００３４】
このため、本実施形態のように、トレンチ７の両側面のうちの一方の側面、つまり（０００１）面に対して成す角度が９０°もしくはそれに近い角度になる方の側面に接するようにｎ+型ソース領域５を形成し、トレンチ７の両側面のうちの一方にのみチャネルが形成されるようにしている。換言すれば、トレンチ７の両側面のうち、（１１−２０）面に対して成す鋭角の角度が小さい方の側面がチャネル形成面とされるようにしている。このようにすることで、トレンチ７の両側面のうち、高いチャネル移動度が形成される方の側面にのみチャネルが形成されるようにすることができ、高いチャネル移動度を得ることが可能となる。
【００３５】
また、トレンチ７の両側面にチャネルを形成する場合において、両側面でチャネル移動度が異なっていると、トレンチ７の両側面に流れる電流がアンバランスになる。しかしながら、本実施形態のように片側の側面にのみチャネルが形成されるようにすることで、トレンチ７の両側面にアンバランスに電流が流れることを抑制することも抑制でき、動特性上有利になるという効果も得られる。
【００３６】
なお、本実施形態のような構造の縦型ＭＯＳＦＥＴは、ＳｉＣ半導体基板１として＜１１−２０＞方向をオフ方向とするオフ基板を用いる点と、トレンチ７の長手方向をオフ方向に対して垂直な方向となる＜１−１００＞方向とする点と、ｎ+型ソース領域５やｐ+型ボディ層６を形成する際のイオン注入用マスクを変更する点以外については、従来と同様の製造方法によって製造可能である。
【００３７】
そして、従来と同様の製造方法を用いているものの、トレンチ７の両側面のうちの一方のみにしかチャネルを形成しないようにしていることから、次の効果を得ることができる。すなわち、トレンチ７は、ＲＩＥやＩＣＰにより、ＳＦ6やＣｌ2、ＣＦ4などをエッチングガスとして用いたドライエッチングにて形成されるが、トレンチ７の側面をＳｉＣ半導体基板１の表面に対して垂直にするのは難しく、エッチング条件の設定が難しい。しかしながら、本実施形態のようにトレンチ７の両側面のうちの一方のみにしかチャネルを形成しない場合、チャネルが形成される方の側面のみが（０００１）面に対して垂直に近づけられれば良く、その側面がＳｉＣ半導体基板１の表面に対して傾斜していても（０００１）面に対して垂直に近づけられる。
【００３８】
このため、厳しいエッチング条件を設定せず、トレンチ７の側面の垂直性が悪くても、トレンチ７の両側面のうちチャネルが形成される方の側面を（０００１）面に対して垂直に近づけられる。実験によれば、チャネル移動度は（０００１）面に垂直な（１−１００）面や（１１−２０）面において最も高くなるが、それに対して若干傾斜していても高い値となり、（０００１）面に対して成す角度が８６°以上であればある程度高い値とすることができる。さらに、トレンチ７の側面が（０００１）面に対して成す角度が９０°を超えても、高いチャネル移動度を得ることができる。このように、広い角度範囲において高いチャネル移動度が得られることから、トレンチ７の形成時のエッチングのプロセスマージンを拡げることが可能となる。
【００３９】
また、上記したように、（０００１）面に対して成す角度が８６°以上となれば高いチャネル移動度を得ることができるが、本実施形態のようにＳｉＣ半導体基板１としてオフ基板を用いている場合には、そのオフ角分さらにトレンチ７の側面がＳｉＣ半導体基板１の表面に対して傾斜していても良いことになる。したがって、本実施形態の場合、ＳｉＣ半導体基板１の表面と水平な面に対してトレンチ７の側面の成す角度θが８２〜９０°となれば良い。
【００４０】
（第２実施形態）
本発明の第２実施形態について説明する。本実施形態は、第１実施形態に対してオフ方向における微細化を図ったものであり、その他に関しては第１実施形態と同様であるため、第１実施形態と異なる部分についてのみ説明する。
【００４１】
図４は、本実施形態にかかるトレンチゲート構造の縦型ＭＯＳＦＥＴを有するＳｉＣ半導体装置の断面図である。この図に示すように、本実施形態では、トレンチ７の両側面のうちチャネルを形成しない側の側面に対してｐ+型ボディ層６が接するようにしている。トレンチ７の両側面のうちの一方の側面にしかチャネルを形成しない形態とする場合、両側面にチャネルを形成する場合と比較して、単位面積当たりのチャネル数が少なくなるため、オン抵抗が増加する。これに対して、両トレンチ７の間の距離を短くすることで極力オン抵抗の増加を抑制することが可能になるが、本実施形態のように、チャネルを形成しない側の側面にｐ+型ボディ層６が接する構造にすれば、よりオン抵抗の増加を抑制することが可能となる。
【００４２】
ただし、トレンチ７の側面に接するようにｐ+型ボディ層６を形成する場合、アバランシェブレークダウン時にｐ+型ボディ層６を通じて電流が流れることで、その接触箇所においてゲート酸化膜８が破損することが懸念される。このため、アバランシェ耐量向上の観点からは、第１実施形態に示すようにトレンチ７の側面から離してｐ+型ボディ層６を配置するのが好ましい。
【００４３】
（第３実施形態）
本発明の第３実施形態について説明する。本実施形態は、第２実施形態に対して耐圧向上を図ったものであり、その他に関しては第２実施形態と同様であるため、第２実施形態と異なる部分についてのみ説明する。
【００４４】
図５は、本実施形態にかかるトレンチゲート構造の縦型ＭＯＳＦＥＴを有するＳｉＣ半導体装置の断面図である。この図に示すように、本実施形態でも、トレンチ７の両側面のうちチャネルを形成しない側の側面に対して、ｐ+型ボディ層６が接するようにしているが、更にｐ+型ボディ層６がトレンチ７よりも深い位置まで形成されるようにしている。このｐ+型ボディ層６は、ｐ型ベース領域４と同程度もしくはそれよりも高い不純物濃度とされている。このように、ｐ+型ボディ層６がトレンチ７よりも深い位置まで形成されるようにすることで、逆バイアス時に隣り合うｐ+型ボディ層６からｎ-型ドリフト層３側に延びる空乏層により、高電圧がゲート酸化膜８側に入り込み難くなるようにできる。このため、ゲート酸化膜８内での電界集中を緩和でき、ゲート酸化膜８が破壊されることを抑制できるため、耐圧向上を図ることが可能となる。
【００４５】
なお、このような構造の縦型ＭＯＳＦＥＴは、基本的には第１実施形態と同様、従来の製造方法によって形成可能であるが、ｐ+型ボディ層６を深い位置まで形成することが必要になる。ＳｉＣの場合、素材が非常に硬いことからイオン注入によって深い位置までｐ+型ボディ層６を形成することが難しい。このため、例えば次のような方法によってｐ+型ボディ層６を形成することが好ましい。まず、ｐ型ベース領域４を形成した後、トレンチ７を形成する前に、ｐ+型ボディ層６の形成予定領域に凹部を形成しておき、この凹部を埋め込むようにｐ+型層をエピタキシャル成長させる。そして、ｐ型ベース領域４が露出するまでｐ+型層をＣＭＰ（Chemical Mechanical Polishing）などによって除去する。このようにすれば、深い位置までｐ+型ボディ層６を形成することが可能となる。また、ｐ型ベース領域４をエピタキシャル成長させることによって形成する場合には、そのｐ型ベース領域４の形成途中でｐ+型ボディ層６の形成予定領域にｐ型不純物をイオン注入していくという工程を繰り返すことで、ｐ+型ボディ層６を段階的に形成することもできる。
【００４６】
（他の実施形態）
（１）上記各実施形態では、ＳｉＣ半導体基板１として（０００１）面のものに対して本発明を適用する場合について説明したが、（０００−１）面のものについても同様に本発明を適用することができる。
【００４７】
また、ＳｉＣ半導体基板１のオフ方向を＜１１−２０＞方向とする場合について説明したが、＜１−１００＞方向とする場合にも、本発明を適用することができる。この場合、トレンチ７の長手方向が＜１１−２０＞方向とされ、側面のうちチャネルが形成される側面の面方位は、（１−１００）面に近づけられることになる。
【００４８】
（２）上記各実施形態では、ＳｉＣ半導体基板１のオフ角を４°とする場合について説明したが、例えば２〜８°の間においてオフ角を変更しても良い。その場合、オフ角に応じてトレンチ７の側面の傾斜角度としてチャネル移動度を高いままにできる角度範囲が異なってくるが、いずれの場合であってもトレンチ７を形成する際のエッチングのプロセスマージンを拡げることが可能となる。
【００４９】
（３）上記各実施形態では、第１導電型をｎ型、第２導電型をｐ型としたｎチャネルタイプのＭＯＳＦＥＴを例に挙げて説明したが、各構成要素の導電型を反転させたｐチャネルタイプのＭＯＳＦＥＴに対しても本発明を適用することができる。また、上記説明では、トレンチゲート構造のＭＯＳＦＥＴを例に挙げて説明したが、同様のトレンチゲート構造のＩＧＢＴに対しても本発明を適用することができる。ＩＧＢＴは、上記各実施形態に対してｎ+型基板２の導電型をｎ型からｐ型に変更するだけであり、その他の構造や製造方法に関しては上記各実施形態と同様である。
【００５０】
（４）上記各実施形態では、ゲート絶縁膜として熱酸化等によって形成されるゲート酸化膜８を例に挙げて説明したが酸化膜以外の絶縁膜、例えば窒化膜などを含むものであっても構わない。
【００５１】
（５）なお、結晶の方位を示す場合、本来ならば所望の数字の上にバー（−）を付すべきであるが、電子出願に基づく表現上の制限が存在するため、本明細書においては、所望の数字の前にバーを付すものとする。
【符号の説明】
【００５２】
１            ＳｉＣ半導体基板
２            ｎ+型基板
３            ｎ-型ドリフト層
４            ｐ型ベース領域
５            ｎ+型ソース領域
６            ｐ+型ボディ層
７            トレンチ
８            ゲート酸化膜
９            ゲート電極
１０          層間絶縁膜
１１          ソース電極
１２          ドレイン電極
【図１】
0005673393.tif 000002
【図２】
0005673393.tif 000003
【図３】
0005673393.tif 000004
【図４】
0005673393.tif 000005
【図５】
0005673393.tif 000006
【図６】
0005673393.tif 000007